(57)【特許請求の範囲】
【請求項１】
底部に複数のキャスターを有するキャスター付き架台であって、該キャスター付き架台は、
上部に物品が載せられる台座と、
該台座底面から下方に延びる回転軸と、
該回転軸を中心として回転可能に、かつ該回転軸の軸方向に摺動可能に設けられた回転板と、
該台座の底面において、該回転軸を中心として円弧状に形成された１つ以上のスロープと、
該回転板の上面に固定され、前記各スロープに沿ってそれぞれ転がるように配置された１つ以上のローラーとを有し、
前記複数のキャスターは前記回転板の底面に固定されていることを特徴とするキャスター付き架台。
【請求項２】
底部に複数のキャスターを有するキャスター付き架台であって、該キャスター付き架台は、
上部に物品が載せられる台座と、
該台座底面から下方に延びる回転軸と、
該回転軸を中心として回転可能に、かつ該回転軸の軸方向に摺動可能に設けられた回転板と、
該回転板の上面において、該回転軸を中心として円弧状に形成された１つ以上のスロープと、
該台座の底面に固定され、前記各スロープに沿ってそれぞれ転がるように配置された１つ以上のローラーとを有し、
前記複数のキャスターは前記回転板の底面に固定されていることを特徴とするキャスター付き架台。
【請求項３】
台座の底面には架台固定脚が固定されており、前記回転板を回転させることにより、前記キャスターの下端が前記固定脚の下端の上方および下方に上下させることができることを特徴とする、請求項１または２に記載のキャスター付き架台。
【請求項４】
前記スロープには、前記ローラーを着脱可能に固定することのできる１つ以上の凹部が形成されていることを特徴とする、請求項１から３のいずれかに記載のキャスター付き架台。
【請求項５】
前記回転軸が、前記回転板を上方に付勢する手段を備えることを特徴とする請求項１から４のいずれかに記載のキャスター付き架台。
【請求項６】
前記回転板を上方に付勢する手段は、前記回転軸に取り付けられたバネであることを特徴とする請求項５に記載のキャスター付き架台。
【請求項７】
前記回転板が、該回転板を回転させるためのグリップを備えることを特徴とする請求項１から６のいずれかに記載のキャスター付き架台。
【発明の詳細な説明】
【０００１】
【発明の属する技術分野】
本発明は、テレビ台やラック等に使用されるキャスター付き架台に関する。
【０００２】
【従来の技術】
テレビ台やラック等には、ほとんどの場合、台底面の四隅に移動用キャスターが取り付けられている。これらのキャスターの車輪に、台と台に載置されている機器の重量が全てかかるため、テレビ台設置後、床がへこむ、歪む、傷がつくなど悪影響を及ぼす。このため、テレビ台設置時に台を持ち上げてキャスターの下に皿状座を入れたり、また、テレビ台の向きを変えたり移動する際にもテレビ台を持ち上げて皿状座を抜くなど、面倒な作業を必要としていた。
設置後の床面に悪影響を与えないためのキャスター付き架台に関し、以下のような従来例がある。
【０００３】
特開平１１−３３４３０７号公報によれば、図７に示すように、架台１０底部にキャスター２２を有し、このキャスター２２が架台１０内に格納可能に取り付けられ、設置時にキャスター２２が架台１０内に格納され、床面３０に悪影響を与えない技術が記載されている。
【０００４】
実開平３−１２１７７８号公報によれば、図８に示すように、キャスター２２の転動を案内する旋回操作用の環状溝４１と、この環状溝４１から連続してキャスター２２が係合可能な位置決め溝４２とを上面に形成してなる載置台４０上にテレビ台１０を設置することにより、床面に悪影響を与えない技術が記載されている。
【０００５】
【発明が解決しょうとする課題】
しかしながら、上述の特開平１１−３３４３０７号公報による架台１０（図７）では、設置後、架台１０の向きを変える、あるいは架台１０を移動する際に、有する複数個のキャスター２２を架台１０から引き出す必要があり面倒である。また、キャスター２２を引き出す際に、テレビ台１０の一端を持ち上げ、テレビおよびテレビ台１０を傾ける必要があり、傾けすぎるとテレビが台１０から滑り落ちる、あるいは、転倒しかねないので危険であるという問題を有している。
【０００６】
また、実開平３−１２１７７８号公報による載置台４０（図８）では、容易に向きを変えることはできるが、移動の際に、載置台４０から架台１０をおろす必要があり、容易に移動することができない。
本発明は、そのような状況に鑑みてなされたもので、設置後の床面に悪影響を与えず、容易に向きを変えたり、移動することができるキャスター付き架台を提供するものである。
【０００７】
【課題を解決するための手段】
こうした課題を解決するための本発明によるキャスター付き架台は、底部に複数のキャスターを有するキャスター付き架台であって、該キャスター付き架台は、上部に物品が載せられる台座と、該台座底面から下方に延びる回転軸と、該回転軸を中心として回転可能に、かつ該回転軸の軸方向に摺動可能に設けられた回転板と、該台座の底面において、該回転軸を中心として円弧状に形成された１つ以上のスロープと、該回転板の上面に固定され、前記各スロープに沿ってそれぞれ転がるように配置された１つ以上のローラーとを有し、前記複数のキャスターは前記回転板の底面に固定されていることを特徴とする。
【０００８】
本発明によるキャスター付き架台は上記構成により、回転板を回転させれば該回転板に備えられたローラーがスロープ上を転がり、それに伴って回転板が回転軸の軸方向に上下する。これにより、台座にテレビ等の重量物を載せている場合であっても容易に台座の高さを調節することができる。なお、ローラーが台座を安定して支持できるためには、スロープおよびローラーの数はそれぞれ３個以上とすることが好ましい。
【０００９】
本発明の他の態様によるキャスター付き架台は、底部に複数のキャスターを有するキャスター付き架台であって、該キャスター付き架台は、上部に物品が載せられる台座と、該台座底面から下方に延びる回転軸と、該回転軸を中心として回転可能に、かつ該回転軸の軸方向に摺動可能に設けられた回転板と、該回転板の上面において、該回転軸を中心として円弧状に形成された１つ以上のスロープと、該台座の底面に固定され、前記各スロープに沿ってそれぞれ転がるように配置された１つ以上のローラーとを有し、前記複数のキャスターは前記回転板の底面に固定されていることを特徴とする。この態様は、前述のキャスター付き架台のスロープとローラーの配置を入れ換えたものであり、前述のキャスター付き架台と同じ効果を奏する。
【００１０】
好ましくは、台座の底面には架台固定脚が設けられており、前記回転板を回転させることにより、前記キャスターの下端を前記固定脚の下端の上方および下方に上下させることができるようにされている。
この態様では、架台を移動しないときには、移動用キャスターの高さを架台固定脚の下端の高さ以上に上げておくことにより、固定脚下端の接地面全面を床面につけ、固定脚によって架台および積載物の重量を支えることができる。そのため、キャスターで支える場合のように床面を損傷することがない。なお、固定脚接地面は床を損傷しないのに十分な面積を持つことが好ましい。
【００１１】
また、上述の特開平１１−３３４３０７号公報による架台のようにキャスターを引き出す際に架台および積載物を傾ける必要がなく、台座が床面に対して平行を保ったままで複数個の移動用キャスターを一度に引き出す事ができ、少ない手順で架台を移動することが可能となる。
【００１２】
好ましくは、前記スロープには、前記ローラーを着脱可能に固定することのできる１つ以上の凹部が形成されている。この態様では、ローラーを凹部に固定することにより、回転軸に対する回転板の軸方向位置を固定することができる。キャスター付き架台が固定脚を有する態様の場合は、キャスターを固定脚の下端よりも下方に引き出した状態で回転板を固定できるように凹部を設けておくことにより、キャスターによる移動がより容易となる。
【００１３】
好ましくは、前記回転軸が、前記回転板を上方に付勢する手段を備える。この態様では、固定脚で架台を支持するときに、キャスターを床面から浮いた状態で確実に保持しておくことができる。好ましくは、前記回転板を上方に付勢する手段として、バネを前記回転軸に取り付ければ、単純な手段でありながら確実な付勢力を与えることができる。
好ましくは、前記回転板が、該回転板を回転させるためのグリップを備える。この態様では、手でグリップを握って操作できるため、キャスターの高さの調整をより簡単に行うことができる。
【００１４】
【発明の実施の形態】
本発明によるキャスター付き架台の実施形態の一例を図１乃至図６に基づいて以下に説明する。これらの図において、点線は隠れる部分を示している。
【００１５】
図１は、本発明によるキャスター付き架台のテレビ台としての実施例であり、上方から見た斜視図で示している。図２および図３はそれぞれ図１のテレビ台の正面図および底面図である。このテレビ台１０は、台座１、回転軸１１、スロープ１２、凹部１３、バネ１４、バネ止め１５、固定脚１６、回転板２、ローラー２１、キャスター２２、操作レバー２３、から構成されており、台座１の上面にテレビ（図示せず）を載せて使用される。平常時は図２に示すように、テレビ台１０底部にキャスター２２が収納された状態とされ、テレビ台１０の移動時には図５に示すように、テレビ台１０底部からキャスター２２を引き出して移動を行う。
【００１６】
台座１の底面１Ａは床面３０に対して水平であり、その四隅には固定脚１６が固定されている。平常時は固定脚１６によってテレビ台１０およびテレビ等の荷重を支える。固定脚１６の底面すなわち接地面１６Ａは、床面３０を損傷することがないよう、十分な面積を持った平面とされている。固定脚１６の形状、本数および配置は図示の例に限られるものではなく、テレビ台１０を安定して支えることができ、接地面１６Ａが十分な面積を持つものであれば、任意の形状、本数および配置とすることができる。
【００１７】
台座１の底面１Ａの中央付近からは、回転軸１１が垂直下方に突出している。この回転軸１１には、円盤状の回転板２が、該回転板２の中心部に開けられた孔２Ａを回転軸１１が貫通するようにして取り付けられており、回転板２は回転軸１１の軸方向に摺動させることができるとともに、回転軸１１を中心軸として回転させることができる。回転板２を回転させやすいように、回転板２には操作レバー２３が取り付けられている。
【００１８】
台座１の底面１Ａにはさらに、回転軸１１を中心として円弧状にスロープ１２が形成されている。本実施例では、回転軸１１を中心とする四半円の円弧形のスロープ１２として形成されており、このスロープ１２は同じ形・大きさのものが４つ形成され、これら４つのスロープ１２が１つの円をなすように連続して配置されている。各スロープ１２は台座１の底面１Ａから下方に突出するように形成されており、テレビ台１０の下方から見て、円周方向に沿って半時計回りに徐々に高さが高くなるスロープとして形成されている。
【００１９】
回転板２上面には４つのローラー２１が取り付けられており、回転板２を回転させたときにこれら４つのローラー２１がそれぞれ各スロープ１２に沿って転がるように配置されている。すなわち、回転軸１１を中心とする、スロープ１２がなす円弧と同半径の円周上で、該円周を４等分する位置にそれぞれローラー２１が取り付けられている。
【００２０】
これにより、回転板２を回転させるとローラー２１がスロープ１２上を転がり、それに伴って回転板２が回転軸１１の軸方向に摺動する。回転板２の下面にはテレビ台１０移動用のキャスター２２が配置されており、回転板２が回転軸１１の軸方向に上下すると、同時にキャスター２２も上下する。ローラー２１がスロープ上で最も高い位置に来たときにキャスター２２の下端は固定脚１６の接地面１６Ａよりも上方に上がり、ローラー２１がスロープ１２上で最も低い位置に来たときにキャスター２２の下端は固定脚１６の接地面１６Ａよりも下方に下がるように、スロープ１２の勾配および固定脚１６の長さが調整されている。
【００２１】
回転板２は目立たないよう台座１の底面１Ａの周囲からはみ出さない大きさとされる。また、ローラー２１およびキャスター２２が台座１を安定して支持できるよう、回転板２は大きな半径をもつ円形とされるとともに、ローラー２１およびキャスター２２は回転板２の外周付近に配置されている。
【００２２】
各スロープ１２には、その最も低い位置の付近に、ローラー２１の位置を固定するための凹部１３が設けられている。これにより、キャスター２２が固定脚１６の接地面１６Ａよりも下方に出た状態で回転板２を固定することができ、キャスター２２を用いたテレビ台１０の移動が容易になる。
【００２３】
キャスター２２を固定脚１６の接地面１６Ａの上方に収納する際に、キャスター２２が床面３０から浮いた状態を維持できるよう、バネ１４により回転板２が上方に付勢される。バネ１４は回転軸１１上で回転板２の下方に配され、バネ１４の下端がバネ止め１５により回転軸１１に固定される。バネ１４の上端が回転板２の底面に接しながら、回転板２を上方に付勢する。
【００２４】
なお、バネ１４が無い態様の場合は、キャスター２２が床面３０に接地した状態でテレビ台が設置されることになるが、テレビ台１０やテレビ等の重量は固定脚１６で支えられるので、キャスター２２に大きな荷重がかかることはなく、キャスター２２によって床面３０に悪影響を及ぼすことはない。
【００２５】
本実施例ではスロープ１２は台座１の底面１Ａから下方に突出して形成されているが、台座１の底面１Ａに埋め込む形で溝状にスロープを形成してもよい。また、本実施例では台座１の底面１Ａにスロープ１２が配され、回転板２上面にローラー２１が配置されているが、これとは逆に、台座底面１Ａにローラーが配され、回転板２上面にスロープが配置されてもかまわない。
【００２６】
次に図２から図６を参照しながら、本実施例によるキャスター付き架台の使用方法を説明する。
まず、テレビ台１０が所定の位置に設置された状態から説明する。図２および図３に示すように、回転板２はバネ１４により上方に付勢され、ローラー２１はスロープの最上部まで押し上げられている。このとき、キャスター２２は床面３０から完全に浮いた状態であり、固定脚１６の接地面１６Ａが床面３０と接触している。
【００２７】
図４は図２および図３の状態から、回転板２を操作レバー２３で回転させている途中の図である。回転板２を操作レバー２３により回転させることによって、ローラー２１はスロープ１２上を転がり、それに伴って回転板２の位置が徐々に下がり、同時に回転板２下部に取り付けられたキャスター２２の位置も下がり、床面３０と接触することになる。床面３０と接触した後に、さらに回転板２を回転させることにより、台座１が床面３０に対して水平を保ったまま、接地面１６Ａが浮き上がる。
【００２８】
図４の状態から更に回転板２を回転させ、ローラー２１固定用の凹部１３にローラー２１がはまり込むまで回転させた状態を、図５および図６にそれぞれ正面図および底面図で示す。この状態では、テレビ台１０の接地面１６Ａは完全に浮き上がり、移動用のキャスター２２が、テレビ台１０を支えているため、容易に向きを変えたり、移動を行うことができる。
【００２９】
テレビ台１０の所定位置への移動および方向設定が終了すると、これまでとは逆の方向に回転板２を回転させることにより、回転板２、およびキャスター２２が浮き上がり、テレビ台１０の接地面１６Ａが床面３０と接触し、再び図２および図３に示される状態に戻ってテレビ台１０が設置される。
このようにして、容易にテレビ台１０を移動することができ、移動後はテレビやテレビ台１０などの荷重を固定脚１６の接地面１６Ａで受けるので、床面３０にへこみ、歪み、傷などの悪影響を与えることが少ない。
【００３０】
本実施例では固定脚を有する態様について説明したが、固定脚を有さない態様の場合であっても、架台の高さを容易に調節できるという利点を有する。その場合、スロープに複数のローラー固定用凹部を設けることで、複数の高さでの安全固定が可能になる。もちろん、固定脚を有する場合でも、架台底部からキャスターを引き出した状態で、架台を複数の高さで固定できるようにしてもよい。
また、本実施例ではテレビ台としての適用例について説明したが、本発明はこれに限定されるものではなく、重量物にたいする架台全般に適用されることは言うまでもない。
【００３１】
【発明の効果】
上記にて説明された本発明により以下の効果がもたらされる。
本発明に係るキャスター付き架台は、上述したような構成としているので、複数個の移動用キャスターを一度に引き出す事ができる。これにより、少ない手順で架台を移動することができるとともに、架台を傾けること無く、容易に向きを変えたり移動を行うことができる。
また、架台を移動しないときには、移動用キャスターの位置を架台固定脚接地面より上げることにより、架台の接地面全面を床面につけることができるので、床面を保護することが可能である。
【図面の簡単な説明】
【図１】本発明によるキャスター付き架台の一実施形態例を示す斜視図である。
【図２】本発明によるキャスター付き架台の設置状態の正面図である。
【図３】本発明によるキャスター付き架台の設置状態の底面図である（移動用キャスターは省略）。
【図４】本発明によるキャスター付き架台の回転板を回転させることにより、回転板およびキャスターの上下移動を行っている途中の正面図である。
【図５】本発明によるキャスタ付き架台の移動時の正面図である。
【図６】本発明によるキャスター付き架台の移動時の底面図である（移動用キャスターは省略）。
【図７】従来技術によるキャスター付き架台の立面図である。
【図８】従来技術による他のキャスター付き架台の斜視図である。
【符号の説明】
１０．テレビ台、１．台座、２．回転板、１１．回転軸、１２．スロープ、１３．凹部、１４．バネ、１５．バネ止め、１６．固定脚、２１．ローラー、２２．キャスター、  ２３．操作レバー
【図１】
0003641598.tif 000002
【図２】
0003641598.tif 000003
【図３】
0003641598.tif 000004
【図４】
0003641598.tif 000005
【図５】
0003641598.tif 000006
【図６】
0003641598.tif 000007
【図７】
0003641598.tif 000008
【図８】
0003641598.tif 000009